(57)【要約】【課題】１つの照明手段によって、夜間、比較的広い範囲を照明することが容易であるスイッチパネルおよびスイッチ体を提供することを目的とする。【解決手段】スイッチパネル本体と、上記スイッチパネル本体に固定されているＥＬシートと、上記ＥＬシートの接続端子であって、上記スイッチパネル本体を取り付けるスイッチの端子と接続する接続端子とを有するスイッチパネルである。また、上記ＥＬシートまたは上記ＥＬシートを覆う透明保護板に、所定の図柄または文字が記載されているスイッチパネルである。【選択図】図１
2007280853.tif 000002
【特許請求の範囲】
【請求項１】
スイッチパネル本体と；
上記スイッチパネル本体に固定されているＥＬシートと；
上記ＥＬシートの接続端子であって、上記スイッチパネル本体を取り付けるスイッチの端子と接続する接続端子と； 
を有することを特徴とするスイッチパネル。
【請求項２】
請求項１において、
上記ＥＬシートまたは上記ＥＬシートを覆う透明保護板に、所定の図柄または文字が記載されていることを特徴とするスイッチパネル。
【請求項３】
請求項１において、
上記ＥＬシートに印加する交流電圧であって、所定のタイミングで交流電圧を発生し、上記ＥＬシートの所定領域を点灯または点滅させる制御回路を有することを特徴とするスイッチパネル。
【請求項４】
請求項１において、
上記接続端子は、上記ＥＬシートの端面または平面から突出している端子であることを特徴とするスイッチパネル。
【請求項５】
スイッチと；
上記スイッチの周辺に設けられるスイッチパネル本体と；
上記スイッチパネル本体に固定されているＥＬシートと；
上記スイッチに上記ＥＬシートを並列に接続している接続手段と；
を有することを特徴とするスイッチ体。
【請求項６】
請求項５において、
上記ＥＬシートまたは上記ＥＬシートを覆う透明保護板に、所定の図柄または文字が記載されていることを特徴とするスイッチ体。
【請求項７】
請求項５において、
上記ＥＬシートに印加する交流電圧であって、所定のタイミングで交流電圧を発生し、上記ＥＬシートの所定領域を点灯または点滅させる制御回路を有することを特徴とするスイッチ体。
【請求項８】
請求項５において、
上記接続手段は、上記ＥＬシートの端面または平面から突出している端子で構成されていることを特徴とするスイッチパネル。
【発明の詳細な説明】
【技術分野】
【０００１】
本発明は、スイッチパネルおよびスイッチ体に関する。
【背景技術】
【０００２】
家屋の天井に設置されている照明器具をオン、オフするスイッチが、部屋の壁または廊下の壁に設置されている。
【０００３】
このスイッチは、夜間、真っ暗の状態でも、そのスイッチの設置位置が分かるように、スイッチにＬＥＤ等が組み込まれ、スイッチがオフであるときに、そのＬＥＤが点灯し、そのスイッチの設置位置を示す（たとえば、特許文献１参照）。
【特許文献１】登録実用新案第３０７６７０１号公報
【発明の開示】
【発明が解決しようとする課題】
【０００４】
ところが、ＬＥＤは点発光であるので、１つのＬＥＤでは、夜間、比較的広い範囲を照明することが困難であるという問題がある。
【０００５】
本発明は、１つの照明手段によって、夜間、比較的広い範囲を照明することが容易であるスイッチパネルおよびスイッチ体を提供することを目的とする。
【課題を解決するための手段】
【０００６】
本発明は、スイッチパネル本体と、上記スイッチパネル本体に固定されているＥＬシートと、上記ＥＬシートの接続端子であって、上記スイッチパネル本体を取り付けるスイッチの端子と接続する接続端子とを有するスイッチパネルである。
【発明の効果】
【０００７】
本発明によれば、１つの照明手段によって、夜間、比較的広い範囲を照明することが容易であるという効果を奏する。
【発明を実施するための最良の形態】
【０００８】
発明を実施するための最良の形態は、以下の実施例である。
【実施例１】
【０００９】
図１は、本発明の実施例１であるスイッチ体１００を示す斜視図である。
【００１０】
図２は、図１に示すＩＩ―ＩＩ線で切断して見たスイッチ体１００の断面図である。
【００１１】
スイッチ体１００は、スイッチパネル本体１０と、スイッチパネル本体１０に固定されているＥＬシート２０と、ＥＬシート２０の接続端子３１、３２と、透明保護板４０と、スイッチＳＷ１とを有する。なお、上記ＥＬは、エレクトロルミネッセンスである。
【００１２】
ＥＬシート２０は、スイッチパネル本体１０に固定されている。実施例１では、ＥＬシート２０がスイッチパネル本体１０と一体成形されているが、両面接着テープ等によって、ＥＬシート２０をスイッチパネル本体１０に接着するようにしてもよい。
【００１３】
接続端子３１、３２は、ＥＬシート２０を、スイッチＳＷ１に接続する接続端子である。透明保護板４０は、ＥＬシート２０を覆い、保護する透明の保護板である。
【００１４】
図３は、スイッチ体１００におけるＥＬシート２０と、スイッチ体１００に固定されているスイッチＳＷ１との接続状態を示す電気回路図である。
【００１５】
スイッチＳＷ１は、その一部が部屋の壁等に埋め込まれ、部屋の天井等に設置されている蛍光灯等の照明器具Ｌ１に、商用電源ＰＳ１から電源供給をオン、オフするスイッチである。
【００１６】
次に、スイッチ体１００の動作について説明する。
【００１７】
スイッチＳＷ１がオンされ、室内の照明器具Ｌ１が点灯し、室内が明るくなっている場合、ＥＬシート２０には電源が供給されず、ＥＬシート２０は点灯しない。
【００１８】
一方、スイッチＳＷ１がオフされ、室内の照明器具Ｌ１が消灯していると、夜間であれば、室内が真っ暗である。この状態では、図３に示すように、ＥＬシート２０に電源が供給されているので、ＥＬシート２０が点灯する。この場合、ほんのりと点灯すれるだけで、スイッチＳＷ１の位置を認識することができ、ＥＬシート２０における消費電力は、０．０１Ｗ未満程度であり、非常に少ない。
【００１９】
なお、スイッチパネル本体１０に、制御回路（図示せず）を設けるようにしてもよい。この制御回路は、ＥＬシート２０に印加する交流電圧であって、所定のタイミングで交流電圧を発生し、ＥＬシート２０の所定領域を点灯または点滅させる制御回路である。たとえば、ＥＬシート２０を複数の領域に分割し、これら分割された領域を、上記制御回路が、順次、点灯または点滅するようにしてもよい。
【００２０】
また、実施例１では、接続端子３１、３２を、ＥＬシート２０の平面部分から突出させているが、ＥＬシート２０の端面から突出させるようにしてもよい。
【実施例２】
【００２１】
図４は、本発明の実施例２であるスイッチ体２００を示す斜視図である。
【００２２】
スイッチ体２００は、スイッチ体１００にキャラクタ６０が描かれたものである。
【００２３】
ＥＬシート２０または透明保護板４０に、アニメーションのキャラクタ６０を描くことによって、子供等に親しみが持たれ、また、部屋のインテリアの一部を構成することができる。
【００２４】
キャラクタの他に、動物、植物、風景、建物、イラスト、ワンポイントマーク等の図柄、または文字が描かれていてもよい。このような図柄、文字を設けることによっても、子供等に親しみが持たれ、また、部屋のインテリアの一部を構成することができる。
【実施例３】
【００２５】
図５は、本発明の実施例３であるスイッチパネル３００を示す斜視図である。
【００２６】
図６は、図５に示すＶＩ―ＶＩ線で切断して見た場合におけるスイッチパネル２００の断面図である。
【００２７】
スイッチパネル３００は、スイッチ体１００から、スイッチＳＷ１を除去したパネルである。スイッチＳＷ１が設けられる部分には、開口Ｈが設けられている。
【００２８】
スイッチパネル３００を、壁に設置されているスイッチに取り付ければ、スイッチ体１００と同じになり、同じ効果を奏する。
【実施例４】
【００２９】
図７は、本発明の実施例４である階段用表示装置４００を階段とともに示す図である。
【００３０】
図８は、階段用表示装置４００を示す斜視図である。
【００３１】
階段用表示装置４００は、スイッチパネル３００と同様の構成を、階段のステップに適用したものである。
【００３２】
階段用表示装置４００は、階段のステップの垂直面上部に貼り付け、暗い中で、ランプ等の照明器具を使用せずに、階段を表示するものである。
【００３３】
階段用表示装置４００は、接着層４１０と、ＥＬシート４２０と、接続端子４３１、４３２と、透明保護板４４０とを有する。
【実施例５】
【００３４】
図９は、本発明の実施例５であるドアノブ用表示装置５００を示す図である。
【００３５】
ドアノブ表示装置５００は、ドアＤにおけるノブ近傍に貼り付け、暗い中で、ランプ等を使用せずに、ドアノブを表示するものである。
【００３６】
ドアノブ表示装置５００は、階段用表示装置４００と同様に、接着層と、ＥＬシートと、接続端子と、透明保護板とを有する。
【実施例６】
【００３７】
図１０は、本発明の実施例６であるコンセント用表示装置６００を示す図である。
【００３８】
コンセント表示装置６００は、部屋の壁等に設けられているコンセントに貼り付け、暗い中で、ランプ等を使用せずに、コンセントを表示するものである。
【００３９】
コンセント表示装置６００は、スイッチパネル３００の構成と同様に、コンセントパネル本体と、ＥＬシートと、接続端子と、透明保護板とを有する。
【００４０】
また、上記各実施例を、鍵穴表示装置に適用するようにしてもよい。
【００４１】
なお、上記各実施例におけるスイッチＳＷ１は、家屋の天井、壁等に設置されている照明器具のオン、オフを制御するスイッチであるが、エアコン、オーディオ機器等、照明器具以外の電気製品をオンオフするスイッチであってもよい。
【図面の簡単な説明】
【００４２】
【図１】本発明の実施例１であるスイッチ体１００を示す斜視図である。
【図２】図１に示すＩＩ―ＩＩ線で切断して見たスイッチ体１００の断面図である。
【図３】スイッチ体１００におけるＥＬシート２０と、スイッチ体１００に固定されているスイッチＳＷ１との接続状態を示す電気回路図である。
【図４】本発明の実施例２であるスイッチ体２００を示す斜視図である。
【図５】本発明の実施例３であるスイッチパネル３００を示す斜視図である。
【図６】図５に示すＶＩ―ＶＩ線で切断して見た場合におけるスイッチパネル２００の断面図である。
【図７】本発明の実施例４である階段用表示装置４００を階段とともに示す図である。
【図８】階段用表示装置４００を示す斜視図である。
【図９】本発明の実施例５であるドアノブ用表示装置５００を示す図である。
【図１０】本発明の実施例６であるコンセント用表示装置６００を示す図である。
【符号の説明】
【００４３】
１００、２００…スイッチ体、
１０…スイッチパネル本体、
２０…ＥＬシート、
３１、３２…接続端子、
６０…キャラクタ、
３００…スイッチパネル、
４００…階段用表示装置、
５００…ドアノブ表示装置、
６００…コンセント表示装置。
【図１】
2007280853.tif 000003
【図２】
2007280853.tif 000004
【図３】
2007280853.tif 000005
【図４】
2007280853.tif 000006
【図５】
2007280853.tif 000007
【図６】
2007280853.tif 000008
【図７】
2007280853.tif 000009
【図８】
2007280853.tif 000010
【図９】
2007280853.tif 000011
【図１０】
2007280853.tif 000012